(57)【要約】【課題】固定場所の確保及び安定性の確保によって医療現場における処置時間の短縮化を図り、針刺し事故を防止するのに寄与する容器体固定用ピラー及び当該固定用ピラーに取り付け可能な容器体を提供する。【解決手段】容器体固定用ピラー１は、円柱又は円筒の棒状部材２に長手方向と略垂直な突起部３が形成され、突起部３が容器体の外側面と当接することにより容器体と容器体固定用ピラー１とのぐらつきを防止する。また、突起部３の長手方向への可動ができる可動機構を有し、突起部３の垂直方法への可変ができる可変機構を有する。なお、固定用ピラー１に取り付け可能な容器体には、その外側面に、上部が閉口して下部が開放する凸状の半開支え部１３が形成されている。【選択図】図１
2015147000.tif 000002
【特許請求の範囲】
【請求項１】
外側面に凸状の半開支え部が形成され内部に収容物を収容する容器体を固定し、当該半開支え部内に挿通される被支え部が形成された取付補助具に挿通される容器体固定用ピラーであって、
長手方向と略垂直に突起部が形成されていることを特徴とする容器体固定用ピラー。
【請求項２】
前記突起部は、長手方向への可動及び／又は垂直方法への可変が可能であることを特徴とする請求項１記載の容器体固定用ピラー。
【請求項３】
前記突起部の下方には、起伏部が設けられていることを特徴とする請求項１又は２記載の容器体固定用ピラー。
【請求項４】
前記取付補助具が一体形成されていることを特徴とする請求項１から３のいずれか記載の容器体固定用ピラー。
【請求項５】
請求項１から４のいずれか記載の容器体固定用ピラーを取り付け可能な容器体。
【発明の詳細な説明】
【技術分野】
【０００１】
本発明は、収容物を収容する容器体を固定する容器体固定用ピラー及び当該固定用ピラーに取り付け可能な容器体に関する。
【背景技術】
【０００２】
収容物を収容する際には、当該収容物の近くに容器体が設置固定されるという固定場所の確保及び容器体に収容する際の容器体の安定性の確保という両側面を備えることが望ましい。特に、医療現場においては、使用済みの注射針を廃棄する際、従来は針の先端部分に保護カバーを装着して廃棄する方法が行われていたが、近年は専用の回収ボックス内に収容して廃棄することが行われている。
【０００３】
そして、使用済みの注射針は、使用後人の手などに触れないようにするための専用の回収ボックス内に捨てられた後、容器内が一杯になったときまとめて所定の場所に廃棄するようになされている。
【先行技術文献】
【特許文献】
【０００４】
【特許文献１】特開２０１２−１６５８９４号公報
【発明の概要】
【発明が解決しようとする課題】
【０００５】
ところで、医師や看護師等の医療従事者が使用済み注射針を回収ボックスに収容する際、誤って自らの指等に針を刺してしまうという針刺し事故も起きている。これは、使用済みの注射針を回収する回収ボックスは、患者のベッドサイドに置いて使用されることが多いが、例えばベッドの上に置いて作業をすると固定場所によっては回収ボックスの固定が不安定であったり、近傍の置き机の上に置いて作業をすると固定場所に至るまでの医療関係者の作業動線が複雑であったりすることが原因であると考えられる。
【０００６】
また、容器体の安定性という面からは、前述した回収ボックスの固定が不安定である場合のほか、医療関係者の作業動線を改善すべく任意の場所・位置に回収ボックスを安定して固定できることが望まれる。
【０００７】
特に、上述した針刺し事故は、医療関係者が二次的被害を受ける可能性もあり、回収ボックスの固定場所の確保及び安定性の確保は極めて重要な問題である。
【０００８】
そこで、本発明は、固定場所の確保及び安定性の確保によって医療現場における処置時間の短縮化を図り、針刺し事故を防止するのに寄与する容器体固定用ピラー及び当該固定用ピラーに取り付け可能な容器体を提供する。
【課題を解決するための手段】
【０００９】
本発明は、上記課題を解決するために、以下のものを提供する。
【００１０】
（１）  外側面に凸状の半開支え部が形成され内部に収容物を収容する容器体を固定し、当該半開支え部内に挿通される被支え部が形成された取付補助具に挿通される容器体固定用ピラーであって、長手方向と略垂直に突起部が形成されていることを特徴とする容器体固定用ピラー。
【００１１】
本発明によれば、容器体固定用ピラーの長手方向と略垂直に突起部が形成されていることから、取付補助具の被支え部と容器体の半開支え部との挿通による固定に加えて、突起部が容器体の外側面と当接することにより、合計２箇所以上での固定が可能となることから、容器体の安定性の確保に資することができる。また、容器体固定用ピラーは持ち運び可能であることから、任意の場所への固定場所の確保に資することができる。
【００１２】
ここで、収容物を収容する容器体は如何なる形状、態様であってもよい。例えば、上蓋を開閉できるタイプのものや、収容孔から収容物を投入落下するタイプのものなど、その態様は問わないし、正方形、直方形など、その形状は問わない。また、容器体の外側面に形成される凸状の半開支え部は如何なる個数、形状であってもよく、取付補助具との着脱を容易に行える態様であれば、半開の程度は問わない。
【００１３】
また、容器体固定用ピラーに挿通される取付補助具は如何なる形状、態様であってもよく、容器体の半開支え部内に挿通される被支え部が形成され、また、容器体固定用ピラーに挿通される挿通穴が形成されている。
【００１４】
さらに、本発明によれば、容器体固定用ピラーと容器体との着脱を容易にすることによるぐらつきを防止するために、長手方向と略垂直に形成された突起部が、容器体の外側面と当接することにより、安定性の確保に寄与している。
【００１５】
（２）  前記突起部は、長手方向への可動及び／又は垂直方法への可変が可能であることを特徴とする容器体固定用ピラー。
【００１６】
本発明によれば、長手方向への可動ができる突起部によって、突起部を長手方向に自在に位置決めすることができることから、容器体との当接を確実にする。また、垂直方法への可変ができる突起部によって、突起部を垂直方向に自在に伸縮できることから、容器体との当接を確実にする。特に容器体と容器体固定用ピラーとの離間距離が一義的ではない場合に、これらは有効に機能する。
【００１７】
（３）  前記突起部の下方には、起伏部が設けられていることを特徴とする容器体固定用ピラー。
【００１８】
本発明によれば、突起部の下方に設けられた位置決め用の起伏部によって、容器体固定用ピラーを孔に挿通して設置する際に、この起伏部がストッパーとなって設置の際の位置決めを行うことから、容器体の位置決めを容易にして医療関係者の作業動線の改善に資することができる。
【００１９】
なお、突起部は、容器体固定用ピラーの外周を覆うような形状であり、例えばリング状である。特に、上部から下部にかけて先細りするようなリング状であれば、起伏部がストッパーの役目を果たすとともに、起伏部が設置する孔に挿通されて当接することから、容器体固定用ピラー自体のぐらつきも防止することができる。また、起伏部をスライド可能に構成することで、容器体固定用ピラーの設置の自由度を高めることができる。
【００２０】
（４）  前記取付補助具が一体形成されていることを特徴とする容器体固定用ピラー。
【００２１】
本発明によれば、容器体固定用ピラーに取付補助具が一体形成されていることから、部品点数の削減によって、容器体固定用ピラーと容器体との固定を迅速かつ容易に行うことができる。
【００２２】
（５）  前記容器体固定用ピラーを取り付け可能な容器体。
【００２３】
本発明によれば、容器体固定用ピラーを取り付け可能な容器体によって、容器体固定用ピラーと容器体との固定を着脱容易にかつ安定して行うことができ、容器体の位置決めを容易にして医療関係者の作業動線の改善に資し、ひいては針刺し事故の防止を図ることができる。
【発明の効果】
【００２４】
本発明の容器体固定用ピラー及び容器体は、長手方向と略垂直に形成された突起部が容器体の外側面と当接することにより、容器体固定用ピラーと容器体との着脱を容易にすることによるぐらつきを防止し安定性の確保に寄与するという効果がある。また、任意の場所に容器体固定用ピラーを固定可能で、容器体の位置決めを容易にして医療関係者の作業動線の改善に資するという効果がある。
【図面の簡単な説明】
【００２５】
【図１】本発明の実施の形態に係る容器体固定用ピラーを示す図。
【図２】本発明の実施の形態に係る容器体固定用ピラーの突起部の態様を示す図。
【図３】本発明の実施の形態に係る容器体固定用ピラーの起伏部の態様を示す図。
【図４】容器体の一例を示す図。
【図５】取付補助具の一例を示す図。
【図６】容器体固定用ピラーと取付補助具とを一体形成する様子を示す図。
【図７】本発明の実施の形態に係る容器体固定用ピラーの使用状態を示す図。
【発明を実施するための形態】
【００２６】
以下、本発明の実施の形態について図面に基づいて説明する。
【００２７】
図１は、本発明の実施の形態に係る容器体固定用ピラー１を示す図であり、円柱又は円筒の棒状部材２の略中央部分に長手方向と略垂直な突起部３が形成されている。突起部３は、容器体の外側面と当接して容器体固定用ピラー１と容器体１０とのぐらつきを防止するために、容器体固定用ピラー１と容器体１０との離間距離に相当する長さで形成される。また、この離間距離が一義的ではない場合など突起部３の長さを調整するために、突起部３の長手方向への可動ができる可動機構（図示せず）を有する。可動機構としては、ネジやバネにより突起部３を伸縮するものなど、その態様を問わない。さらに、突起部３は、容器体１０の外側面と確実に当接するために、突起部３の垂直方法への可変ができる可変機構（図示せず）を有する。可変機構としては、突起部３の設置位置を変えることができるよう、例えば突起部３を棒状部材２に挿入して固定するタイプでは、挿入穴６ａ〜６ｅを上下方向に複数形成しておき、適当な挿入穴６ａ〜６ｅの１か所に棒状の突起部３を挿入して設置位置を決定するものや（図２（Ａ）参照）、突起部３を有する中空のＴ字形部材７を棒状部材２の外周に装着するタイプでは、Ｔ字形部材７を棒状部材２に対してスライド可能にするなど（図２（Ｂ）参照）、その態様を問わない。
【００２８】
起伏部４は、容器体固定用ピラー１の突起部３の下方に設けられている。この起伏部４は、容器体固定用ピラー１を設置する際の下方への案内を制御するストッパーとして機能するとともに、スライド可能な突起部３にあっては突起部３の下方への案内を制御するストッパーとしても機能する。また、起伏部４は、中空円筒のリング状を呈しており、上部から下部までの径が略同一のもの（図３（Ａ）参照）、上部の径が大きく下部の径が小さい先細りしたもの（図３（Ｂ）参照）など、その態様を問わない。また、起伏部４を弾性部材で構成したり、起伏部４の下部周囲に弾性部材を装着することにより、容器体固定用ピラー１自体の回転を抑制できることとなり、安定性を増すことができる。さらに、この起伏部４をスライド可能に構成することで、容器体固定用ピラー１の設置の自由度が高まる。
【００２９】
グリップ部５は、容器体固定用ピラー１の突起部３の上方に設けられている。このグリップ部５は、容器体固定用ピラー１を持ち運びする際に把持する部分であり、滑り止めの機構を有することが望ましい。グリップ部５は、容器体固定用ピラー１の棒状部材２の周囲に装着したり、予め一体形成されていたりと、その態様は問わない。
【００３０】
図４は、容器体１０の一例を示す図である。容器体１０は、上面が開放された収容部１２に上蓋１１を嵌合して構成される。上蓋１１には収容孔（図示せず）が形成され、かかる収容孔から収容物を投入して収容部１２に落下させる。なお、容器体１０の落下時に収容部物が飛び出すことがないよう、上蓋１１と収容部１２とを着脱不可能に嵌合したり、上蓋１１の収容孔に逆流防止機構を設けたりすることができる。
【００３１】
容器体１０の外側面には、凸状の半開支え部１３が形成されている。半開支え部１３は、上部が閉口して下部が開放していることから、下部から取付補助具２０の被支え部２３を挿通して取付補助具２０と容器体１０とを固定する。半開支え部１３には被支え部２３を挿通する案内ガイドが形成されている。
【００３２】
図５は、取付補助具２０の一例を示す図である。取付補助具２０は、挿通幅が異なる２つのＭ字形部材２１，２２を互い違いに挿通させることで、互いの谷部分によって挿通穴２８が形成される。この挿通穴２８の大きさは、挿通穴２８に挿通する容器体固定用ピラー１の径に応じて、Ｍ字形部材２１，２２の挿通加減によって変化させることができる。また、挿通穴２８の大きさを維持して取付補助具２０を容器体固定用ピラー１に確実に固定するために、ネジ２４，２５とピン２６，２７によってＭ字形部材２１，２２の挿通位置を固定する。
【００３３】
取付補助具２０の一方のＭ字形部材２１には、容器体１０の半開支え部１３内に挿通される被支え部２３が形成されている。被支え部２３は、半開支え部１３の案内ガイドに挿通されるよう、小径の根部２３ｂと大径の舌部２３ａとで形成されており、根部２３ｂと被支え部２３とが結合することによって、取付補助具２０と容器体１０とを固定する。
【００３４】
図６は、容器体固定用ピラー１と取付補助具２０'とを一体形成する様子を示す図であり、容器体固定用ピラー１の棒状部材２と取付補助具２０'の挿通穴２８'の径とが予め略同一に形成され、挿通穴２８'の大きさは固定されている。すなわち、図５に示す取付補助具２０は挿通穴２８の大きさが棒状部材２の径に応じて可変可能であったものが、図６に示す取付補助具２０'は挿通穴２８'の大きさが不変である。そのため、取付補助具２０'は、取付補助具２０が有するネジ２４，２５やピン２６，２７を不要とし、被支え部２３'を被支え部２３と共通する。
【００３５】
このように容器体固定用ピラー１と取付補助具２０'とを一体形成した取付補助機能付き容器体固定用ピラーにおいては、容器体固定用ピラー１と取付補助具２０'の挿通穴２８'とをＯリングを介して固定したり、接着・溶着により固定したりして形成するなど、取付補助具２０'が可動しないような態様とすることが望ましい。すなわち、容器体１０及び収容物の自重によって被支え部２３'への加重が大きくなり、容易に取付補助具２０'が可動する構成では容器体１０の下方又は落下の危険性が高まり、安定した固定が維持できないおそれがあるためである。
【００３６】
図７は、本発明の実施の形態に係る容器体固定用ピラー１の使用状態を示す図であり、
容器体固定用ピラー１に取付補助具２０が挿通され、容器体１０の半開支え部１３に取付補助具２０の被支え部２３が挿通された状態を示している。また、容器体固定用ピラー１の突起部３と容器体１０の外側面とが当接した状態を示している。本発明の実施の形態においては、半開支え部１３と被支え部２３との挿通によって容器体固定用ピラー１と容器体１０とを固定するとともに、突起部３と容器体１０の外側面との当接によって容器体１０のぐらつきを防止している。
【００３７】
本発明の実施の形態に係る容器体固定用ピラー１は、注射針を抜き差しする患者の近くであるベッド柵の柵孔に挿通して使用することで、医療関係者の作業動線が単純・短縮される。
【産業上の利用可能性】
【００３８】
本発明に係る容器体固定用ピラーは、安定した固定を可能として医療関係者の作業動線を改善し、医療現場における処置時間の短縮化を図るものとして有用である。
【符号の説明】
【００３９】
１  容器体固定用ピラー
２  棒状部材
３  突起部
４  起伏部
５  グリップ部
１０  容器体
１１  上蓋
１２  収容部
１３  半開支え部
２０，２０'  取付補助具
２１，２２  Ｍ字形部材
２３，２３'  被支え部
２４，２５  ネジ
２６，２７  ピン
２８，２８'  挿通孔
【図１】
2015147000.tif 000003
【図２】
2015147000.tif 000004
【図３】
2015147000.tif 000005
【図４】
2015147000.tif 000006
【図５】
2015147000.tif 000007
【図６】
2015147000.tif 000008
【図７】
2015147000.tif 000009